(57)【特許請求の範囲】
【請求項１】
直立チューブ、高さ調節可能な足置き、前記直立チューブの第１端部領域に固定した円筒状の案内ブッシュ、および前記直立チューブと同軸状に移動可能であり閉塞可能なガススプリングを設けた高さ調節可能な椅子の支柱であって、前記ガススプリングは、円筒状外面がその長手方向軸線の周りで回転可能に前記直立チューブに案内され、また、前記ガススプリングの閉鎖端部を前記直立チューブの前記第１端部領域から突出させ、前記ガススプリング内には、ピストンを軸線方向に移動可能に配置し、このピストンの一方の側面にピストンロッドを設け、このピストンロッドを、前記ガススプリングの他方の端部に対してシール状態で導出させ、ピストンロッドの遊端を、直立チューブの第２端部領域に設けた底部プレートに対して長手方向軸線の周りに回転可能に取り付けた該高さ調節可能な椅子の支柱において、前記直立チューブ（１）に対して同軸状である円筒状の案内ブッシュ（１３）の案内開口内で軸線方向に移動可能に案内する案内パイプ（８）であって、前記円筒状の案内ブッシュ（１３）および前記直立チューブ（１）の第１端部領域から突出する前記案内パイプ（８）の端部領域に足置き（２３）を担持し、また、前記ガススプリング（７）を、前記案内パイプ（８）内で長手方向軸線（５）の周りに回転可能に案内し、かつ前記案内パイプ（８）に対して軸線方向相対移動不能となるようロックし、また、前記案内パイプ（８）を、前記円筒状の案内ブッシュ（１３）の案内開口内で回転することなく摺動可能に案内したことを特徴とする高さ調節可能な椅子の支柱。
【請求項２】
前記直立チューブ（１）の前記第１端部領域に、半径方向内方に突出する１個またはそれ以上の案内突起（１１）を固着し、これら案内突起（１１）を前記案内パイプ（８）の外周面に軸線方向に延在するよう設けた案内溝（１０）に突入させた請求項１記載の家具の支柱。
【請求項３】
前記案内突起（１１）を、前記直立チューブ（１）の前記第１端部領域に固定可能な案内リング（１２）に設けた請求項２記載の家具の支柱。
【請求項４】
前記案内パイプ（８）を金属製とした請求項１〜３いずれか１項記載の家具の支柱。
【請求項５】
前記案内パイプ（８）内に、１個またはそれ以上の案内ブッシュ（９，９´）を固定し、これら案内ブッシュ（９，９´）内に、前記ガススプリング（７）を長手方向軸線（５）の周りに回転可能に案内するよう配置した請求項１〜４いずれか１項記載の家具の支柱。
【請求項６】
前記ガススプリング（７）のピストンロッド側で、前記案内パイプ（８）から突出しする端部領域に、半径方向に突出するカラー（２０）を設け、このカラー（２０）の両側の側面を前記案内パイプ（８）のストッパ（１７，１８）で軸線方向に包囲し、これらストッパ（１７，１８）の間で前記ガススプリング（７）の前記長手方向軸線（５）の周りに前記案内パイプに対して相対回転可能とした請求項１〜５記載いずれか１項の家具の支柱。
【請求項７】
前記カラー（２０）を、前記ガススプリング（７）の圧力シリンダ（６）内に固着した円筒状インサート（１９）に設けた請求項６記載の家具の支柱。
【請求項８】
前記インサート（１９）を、楔止めにより、前記圧力シリンダ（６）に固着した請求項７記載の家具の支柱。
【請求項９】
前記案内パイプ（８）側とは反対側の前記ストッパ（１８）を、前記案内パイプ内で固定可能なスリーブに取り付けた請求項６記載の家具の支柱。
【請求項１０】
前記スリーブを案内ブッシュ（９´）とした請求項５または８記載の家具の支柱。
【請求項１１】
前記スリーブの端面に案内パイプ側のストッパを構成し、このストッパに前記カラー（２０）が軸線方向に当接するようにした請求項７記載の家具の支柱。
【請求項１２】
前記カラー（２０）を、支持ディスク（２１）を介して、前記案内パイプ（８）側とは反対側のストッパ（１８）に軸線方向に当接した請求項６または１１記載の家具の支柱。
【請求項１３】
前記案内パイプ（８）側とは反対側の軸線方向ストッパ（１８）を、周方向に閉じたストッパリング（１６）、もしくは切欠き付きストッパリング（１６）とした請求項６〜１２のいずれか１項記載の家具の支柱。
【請求項１４】
前記スリーブおよび前記案内パイプ（８）側とは反対側の軸方向ストッパ（１８）を、一体ピースとして構成した請求項１２または１３の家具の支柱。
【請求項１５】
前記カラーまたは支持ディスク（２１）を、ロックリング（２２）を介して、前記案内パイプ（８）側とは反対側の軸方向ストッパ（１８）に軸線方向に当接させた請求項６〜１４いずれか１項記載の家具の支柱。
【発明の詳細な説明】
【技術分野】
【０００１】
本発明は、直立チューブ、高さ調節可能な足置き、直立チューブの第１端部領域に固定した円筒状の案内ブッシュ、および前記直立チューブと同軸状に移動可能であり閉塞可能なガススプリングを設けた高さ調節可能な椅子の支柱であって、前記ガススプリングは、円筒状外面がその長手方向軸線の周りで回転可能に直立チューブに案内し、また、前記ガススプリングの閉鎖端部を前記直立チューブの第１端部領域から突出させ、前記ガススプリング内には、ピストンを軸線方向に移動可能に配置し、このピストンの一方の側面にピストンロッドを設け、このピストンロッドを、前記ガススプリングの他方の端部に対してシール状態で導出させ、ピストンロッドの遊端を、直立チューブの第２端部領域に設けた底部プレートに対して長手方向軸線の周りに回転可能に取り付けた該高さ調節可能な椅子の支柱に関するものである。
【背景技術】
【０００２】
このような椅子の支柱においては、足置きの位置を、直立チューブを包囲する止め金具によって所望の高さに固定するものが知られている。つまり、椅子の支柱の高さを調節する都度、別途に足置きの高さ調節も成されなければならなかった。
【０００３】
このような構成は、使い勝手がよいとはいえない。
【発明の開示】
【発明が解決しようとする課題】
【０００４】
したがって、本発明の課題は、椅子の支柱および高耐久性足置きの両方を、１回の操作で同時に高さ調節できる椅子の支柱を得ることにある。
【課題を解決するための手段】
【０００５】
この課題を解決するため、本発明椅子の支柱は、前記直立チューブに対して同軸状である円筒状の案内ブッシュの案内開口内で軸線方向に移動可能に案内し、前記円筒状の案内ブッシュおよび前記直立チューブから突出する案内パイプの端部領域に足置きを担持し、また、前記ガススプリングを、前記案内パイプ内で長手方向軸線の周りに回転可能に案内し、かつ前記案内パイプに対して軸線方向相対移動不能となるようロックし、さらに、前記案内パイプを、前記円筒状の案内ブッシュの案内開口内で回転することなく摺動可能に案内することを特徴とする。
【発明の効果】
【０００６】
本発明によれば、前記案内パイプ内に前記ガススプリングを配置し、摺動可能に案内できるように前記案内パイプを構成したことで、優れた耐久性を実現でき、また、前記案内パイプに前記足置きを配置することで、前記ガススプリングの運動と同時に足置きの位置調節が達成される。
【発明を実施するための最良の形態】
【０００７】
前記直立チューブの第１端部領域には、半径方向内方に突出する１個またはそれ以上の案内突起を固着し、これら案内突起を前記案内パイプの円筒状外周面に軸線方向に延在するよう設けた案内溝に突入させると好適である。
【０００８】
この場合、前記案内突起を、前記直立チューブの第１端部領域に固定可能な案内リングに設けることにより、少ない部品点数で、構成簡単かつ組み立て容易となる。
【０００９】
特に優れた耐久性は、前記案内パイプを金属製、特に鋼鉄製とすることで得られる。
【００１０】
ガススプリングが長手方向軸線の周りで容易に回転可能に案内するため、前記案内パイプ内には、１個またはそれ以上の案内ブッシュを固定し、これら案内ブッシュ内に、前記ガススプリングを案内することもできる。
【００１１】
このとき、好適には、前記案内ブッシュは、例えば軸受用合成材料のような摩擦抵抗の少ない材料により製造する。
【００１２】
前記案内パイプにおける、前記ガススプリングの軸線方向ロックを、簡単かつ占有空間が少なくて済む構成とするために、前記ガススプリングのピストンロッド側で、前記案内パイプから突出する端部領域に、半径方向に突出するカラーを設け、このカラーの両側の側面を前記案内パイプのストッパで軸線方向に包囲し、これらストッパの間で前記ガススプリングの前記長手方向軸線の周りに前記案内パイプに対して相対回転可能とすることができる。
【００１３】
このとき、固定を簡単で安定したものにするために、前記ガススプリングの圧力シリンダ内に、特に楔止めによって、前記圧力シリンダに固着した円筒状インサートを設けると好適である
【００１４】
同様に組み立て簡単とするには、前記案内パイプ側とは反対側の前記ストッパを、前記案内パイプ内に固定可能なスリーブに取り付けると好適である。
【００１５】
このとき、構成部品点数を少なくするために、前記スリーブを、同時に案内ブッシュとして構成するとよい。
【００１６】
同様に、前記スリーブの端面に案内パイプ側のストッパを構成し、このストッパに、前記カラーが軸線方向に当接するよう構成することもできる。
【００１７】
安定して支持するために、好適には、前記カラーを、支持ディスクを介して、前記案内パイプ側とは反対側のストッパに軸線方向に当接する。
また、全周面に一様な荷重が加わるようにするためには、前記案内パイプ側とは反対側の軸線方向ストッパを、周方向に閉じた、もしくは切欠き付きストッパリングとして構成するとよい。
【００１８】
構成部品点数を少なくし、組み立て簡単とするためには、前記スリーブおよび前記案内パイプ側とはの反対側の軸方向ストッパとを、一体ピースとして構成するとよい。
【００１９】
同様に、組み立て簡単とするためには、前記カラーまたは支持ディスクを、ロックリングを介して、前記案内パイプ側とは反対側の軸方向ストッパに軸線方向に当接させる。
以下図面につき、本発明の好適な実施例を説明する。
【実施例】
【００２０】
図1に示す椅子の支柱には、図示しない椅子の足に固定するための、下端部を円錐形２に構成した直立チューブ１を設ける。
【００２１】
直立チューブ１の下端部に底部プレート３を固定し、この底部プレート３に、ピストンロッド４の遊端を中心軸線５の周りで回転可能に連結する。
【００２２】
ピストンロッド４は、直立チューブ１内に同心状に取り付けたガススプリング７の圧力シリンダ６内に案内し、この圧力シリンダ内に突出するピストンロッド４の端部を、圧力シリンダ６内で移動可能な図示しないピストンに連結する。
【００２３】
圧力シリンダ６は、円筒状外面によって、案内パイプ８内に回転可能に設け、案内パイプ８の端部領域に、圧力シリンダ６を回転可能に案内するための案内ブッシュ９，９´を固定する。
【００２４】
上方部分が直立チューブ１から突出する案内パイプ８の外周面には、周方向に等間隔で分布させた、軸線方向に延在する案内溝１０を設け、これら案内溝１０に対応して案内リング１２に設けた案内突起１１を案内溝１０内に半径方向内方に突入させる。
【００２５】
案内リング１２は、直立チューブの上方端部領域に固着する。
【００２６】
直立チューブ１内において、案内リング１２に対して軸線方向に隣接させて円筒状の案内ブッシュ１３を固定し、この案内ブッシュ１３内で案内パイプ８を摺動可能に案内する。
【００２７】
案内ブッシュ９、９´は、固定ピン１４により案内パイプ８に連結する。固定ピン１４は、案内パイプ８および案内ブッシュ９、９´に設けて長手方向軸線５に直交する方向に延在する横孔に固定する。
【００２８】
圧力シリンダ６の上方端部を、案内パイプ８から突出させ、この上方端部に図示しない座部を固定するための円錐形部分１５を設ける。
【００２９】
圧力シリンダ６の上方端部の端面から突出させた操作プランジャ２４により、ガススプリング７の閉塞を解放し、これにより、椅子の支柱の高さ調節を行うことができる。
【００３０】
下方の側案内ブッシュ９´を案内パイプ８から僅かな量だけ突出させ、案内ブッシュ９´の下側端面に間隔をとって配置した切欠き付きストッパリング１６と一体化する。このストッパリング１６は、長手方向軸線５と同心状にし、その内径を、圧力シリンダ６の外径よりも若干大きくする。
このとき、案内ブッシュ９´の下側端面における第１ストッパ１７、およびこの第１ストッパ１７から離れて位置するストッパリング１６における対向面における第2ストッパ１８を構成する。
【００３１】
圧力シリンダ６の下側端部には、円筒状のインサート１９をはめ込み、楔止めにより圧力シリンダ６に固着する。このインサートの円筒形状の開口にピストンロッド４を貫通案内する。
【００３２】
インサート１９の圧力シリンダ１６から突出する端部であり、フランジ状に半径方向外方に張り出す周縁カラー２０をインサート１９に一体に設け、この周縁カラー２０の一方の側面を第1ストッパ１７に当接させる。
【００３３】
それらの中心穴から前記ピストンロッド４が案内される、インサート１９および周縁カラー２０の案内パイプ８とは反対側の側面に支持ディスク２１を当接させ、この支持ディスク２１の中心開口にピストンロッド４を貫通案内する。また、支持ディスク２１と第2ストッパ１８との間に介在させたロックリング２２により、前記カラー２０の、第2ストッパ１８に対する軸線方向支持を行う。
【００３４】
このため、ガススプリング７は、案内パイプ８との軸線方向の相対運動に対してロックされる。
【００３５】
しかし、ガススプリング７は案内パイプ８に対し、長手方向軸線５の周りで自由に回転可能となる。
【００３６】
直立チューブ１から突出する案内パイプ８の端部には、段差付きの孔を設けた半径方向外方に広がる足置き２３を設ける。これは、足置きリングとして構成することもできる。
【００３７】
この足置き２３を直立チューブ１に固定することで、椅子の支柱の高さを調節する際に、同時に足置きも対応した高さに調節できる。
【図面の簡単な説明】
【００３８】
【図１】本発明椅子の支柱の縦断面図である。
【図２】図１に示す本発明支柱の、一部分の拡大縦断面図である
【図３】図１に示す本発明支柱の案内ブッシュの縦断面図である。
【図４】図３に示す本発明支柱の案内ブッシュの斜視図である。
【図５】図１に示す本発明支柱のインサートの縦断面図である。
【図６】図５に示す本発明支柱のインサートの斜視図である。
【図７】図１に示す本発明支柱の案内リングの側面図である。
【図８】図７に示す本発明支柱の案内リングの斜視図である。
【図９】図１に示す本発明支柱のロックリングの平面図である。
【図１０】図９に示す本発明支柱のロックリングの斜視図である。
【符号の説明】
【００３９】
１  直立チューブ
２  円錐形部分
３  底部
４  ピストンロッド
５  中心縦軸
６  圧力シリンダ
７  ガススプリング
８  案内パイプ
９  案内ブッシュ
１０  案内溝
１１  案内突起
１２  案内リング
１３  案内ブッシュ
１４  固定ピン
１５  円錐形部分
１６  ストッパリング
１７  第１ストッパ
１８  第２ストッパ
１９  インサート
２０  周縁カラー
２１  支持ディスク
２２  ロックリング
２３  足置き
２４  操作プランジャ
【図１】
0004546983.tif 000002
【図２】
0004546983.tif 000003
【図３】
0004546983.tif 000004
【図４】
0004546983.tif 000005
【図５】
0004546983.tif 000006
【図６】
0004546983.tif 000007
【図７】
0004546983.tif 000008
【図８】
0004546983.tif 000009
【図９】
0004546983.tif 000010
【図１０】
0004546983.tif 000011